【手続補正書】
【提出日】平成27年4月14日(2015.4.14)
【手続補正１】
【補正対象書類名】特許請求の範囲
【補正対象項目名】全文
【補正方法】変更
【補正の内容】
【特許請求の範囲】
【請求項１】
主走査方向と該主走査方向とは異なる副走査方向とに延在する被読取媒体から２次元画像を読み取る画像読取装置であって、
前記副走査方向に沿って所定間隔で配列された複数列のラインセンサを含むイメージセンサと、
前記被読取媒体に対して前記イメージセンサを前記副走査方向に相対移動させて前記被読取媒体の表面で反射した光を前記イメージセンサに受光させる走査駆動部と、
前記被読取媒体に対して前記イメージセンサが前記副走査方向に相対移動する走査期間内に一定の時間間隔ごとに前記複数列のラインセンサから並列に出力された複数系列の読取画素信号に基づいて画像データを生成する画像処理部と
を備え、
前記複数列のラインセンサは、互いに異なる複数の色の光をそれぞれ光電変換して前記複数系列の読取画素信号を並列に出力し、
前記画像処理部は、
前記複数系列の読取画素信号のうちの基準系列の読取画素信号と該基準系列以外の他系列の読取画素信号との間の位相ずれを補正するための画素補間位置を決定する補間位置決定部と、
前記複数系列の読取画素信号に対して系列ごとに補間演算を実行して前記画素補間位置における前記複数の色それぞれの階調値を算出する補間処理部と、
前記複数系列の読取画素信号のうち少なくとも１つの系列の読取画素信号に基づいて前記副走査方向に階調変化を有するエッジの有無を判定するエッジ検出部と
を有し、
前記補間処理部は、前記エッジが有ると判定されたときは、前記基準系列の読取画素信号に対しては、前記画素補間位置及び該画素補間位置からずれた位置のうちいずれか一方の第１の補間位置を基準として設定された加重係数を用いて前記補間演算を実行するとともに、前記他系列の読取画素信号に対しては、前記第１の補間位置とは異なる第２の補間位置を基準として設定された加重係数を用いて前記補間演算を実行する
ことを特徴とする画像読取装置。
【請求項２】
請求項１に記載の画像読取装置であって、前記補間処理部は、前記エッジが無いと判定されたときは、前記系列ごとに前記画素補間位置を基準として設定された加重係数を用いて前記補間演算を実行することを特徴とする画像読取装置。
【請求項３】
請求項１または２に記載の画像読取装置であって、前記エッジ検出部による検出結果に応じて、前記第１の補間位置及び前記第２の補間位置を個別に制御する補間位置制御部をさらに備えることを特徴とする画像読取装置。
【請求項４】
請求項３に記載の画像読取装置であって、前記補間位置制御部は、前記エッジが有ると判定されたときは、前記複数の色それぞれの階調値のうち前記他系列の読取画素信号から算出される色の階調値が前記基準系列の読取画素信号から算出される色の階調値に近づくように前記第１の補間位置及び前記第２の補間位置を制御することを特徴とする画像読取装置。
【請求項５】
請求項３または４に記載の画像読取装置であって、
前記エッジが有ると判定されたときに当該エッジの位置を検出するエッジ位置検出部をさらに備え、
前記補間位置制御部は、当該エッジの検出位置に応じて前記第１の補間位置及び前記第２の補間位置を個別に制御する
ことを特徴とする画像読取装置。
【請求項６】
請求項５に記載の画像読取装置であって、
前記エッジ検出部は、前記複数系列の読取画素信号から、前記複数の色にそれぞれ対応し且つ前記副走査方向に階調変化を有する色エッジの有無を判定し、
前記補間位置制御部は、前記色エッジの有無の組み合わせに応じて前記第１の補間位置及び前記第２の補間位置を個別に制御する
ことを特徴とする画像読取装置。
【請求項７】
請求項６に記載の画像読取装置であって、前記エッジ位置検出部は、前記色エッジの有無と複数のエッジの位置との対応関係が予め定められたルックアップテーブルを有し、前記ルックアップテーブルに従って前記エッジの位置を示す情報を生成することを特徴とする画像読取装置。
【請求項８】
請求項３から７のうちのいずれか１項に記載の画像読取装置であって、
前記エッジ検出部は、前記エッジの階調変化量の大きさを検出し、
前記補間位置制御部は、前記階調変化量の大きさに応じて前記第１の補間位置及び前記第２の補間位置を個別に制御する
ことを特徴とする画像読取装置。
【請求項９】
請求項１から８のうちのいずれか１項に記載の画像読取装置であって、前記基準系列の読取画素信号と前記他系列の読取画素信号との間の位相ずれを低減するように前記基準系列の読取画素信号に対して前記他系列の読取画素信号を相対的に遅延させる遅延メモリをさらに備えることを特徴とする画像読取装置。
【請求項１０】
請求項９に記載の画像読取装置であって、前記遅延メモリは、前記被読取媒体に対する可変の読み取り倍率に応じた遅延時間だけ前記他系列の読取画素信号を相対的に遅延させることを特徴とする画像読取装置。
【請求項１１】
主走査方向と該主走査方向とは異なる副走査方向とに延在する被読取媒体に対して、前記副走査方向に沿って所定間隔で配列され且つ互いに異なる複数の色の光をそれぞれ光電変換して複数系列の読取画素信号を並列に出力する複数列のラインセンサを含むイメージセンサと、前記被読取媒体に対して前記イメージセンサを前記副走査方向に相対移動させて前記被読取媒体の表面で反射した光を前記イメージセンサに受光させる走査駆動部とを備えた画像読取装置に組み込まれる画像処理装置であって、
前記被読取媒体に対して前記イメージセンサが前記副走査方向に相対移動する走査期間内に一定の時間間隔ごとに前記複数列のラインセンサから並列に出力された前記複数系列の読取画素信号のうち、基準系列の読取画素信号と該基準系列以外の他系列の読取画素信号との間の位相ずれを補正するための画素補間位置を決定する補間位置決定部と、
前記複数系列の読取画素信号に対して系列ごとに補間演算を実行して前記画素補間位置における前記複数の色それぞれの階調値を算出する補間処理部と、
前記複数系列の読取画素信号のうち少なくとも１つの系列の読取画素信号に基づいて前記副走査方向に階調変化を有するエッジの有無を判定するエッジ検出部と
を備え、
前記補間処理部は、前記エッジが有ると判定されたときは、前記基準系列の読取画素信号に対しては、前記画素補間位置及び該画素補間位置からずれた位置のうちいずれか一方の第１の補間位置を基準として設定された加重係数を用いて前記補間演算を実行するとともに、前記他系列の読取画素信号に対しては、前記第１の補間位置とは異なる第２の補間位置を基準として設定された加重係数を用いて前記補間演算を実行する
ことを特徴とする画像処理装置。
【請求項１２】
請求項１１に記載の画像処理装置であって、前記エッジ検出部による検出結果に応じて、前記第１の補間位置及び前記第２の補間位置を個別に制御する補間位置制御部をさらに備えることを特徴とする画像処理装置。
【請求項１３】
請求項１２に記載の画像処理装置であって、
前記エッジが有ると判定されたときに当該エッジの位置を検出するエッジ位置検出部をさらに備え、
前記補間位置制御部は、当該エッジの検出位置に応じて前記第１の補間位置及び前記第２の補間位置を個別に制御する
ことを特徴とする画像処理装置。
【請求項１４】
請求項１２または１３に記載の画像処理装置であって、
前記エッジ検出部は、前記エッジの階調変化量を検出し、
前記補間位置制御部は、前記階調変化量の大きさに応じて前記第１の補間位置及び前記第２の補間位置を個別に制御する
ことを特徴とする画像処理装置。
【請求項１５】
主走査方向と該主走査方向とは異なる副走査方向とに延在する被読取媒体に対して、前記副走査方向に所定間隔で配列され且つ互いに異なる複数の色の光をそれぞれ光電変換して複数系列の読取画素信号を並列に出力する複数列のラインセンサを含むイメージセンサと、前記被読取媒体に対して前記イメージセンサを前記副走査方向に相対移動させて前記被読取媒体の表面で反射した光を前記イメージセンサに受光させる走査駆動部とを備える画像読取装置における画像処理方法であって、
前記被読取媒体に対して前記イメージセンサが前記副走査方向に相対移動する走査期間内に一定の時間間隔ごとに前記複数列のラインセンサから並列に出力された前記複数系列の読取画素信号のうち、基準系列の読取画素信号と該基準系列以外の他系列の読取画素信号との間の位相ずれを補正するための画素補間位置を決定するステップと、
前記複数系列の読取画素信号のうち少なくとも１つの系列の読取画素信号に基づいて前記副走査方向に階調変化を有するエッジの有無を判定するステップと、
前記エッジが有ると判定されたとき、前記基準系列の読取画素信号に対して、前記画素補間位置及び該画素補間位置からずれた位置のうちいずれか一方の第１の補間位置を基準として設定された加重係数を用いた補間演算を実行することにより前記画素補間位置における前記基準系列に対応した色の階調値を算出するステップと、
前記エッジが有ると判定されたとき、前記他系列の読取画素信号に対して、前記第１の補間位置とは異なる第２の補間位置を基準として設定された加重係数を用いた補間演算を実行することにより前記画素補間位置における前記他系列に対応した色の階調値を算出するステップと
を備えることを特徴とする画像処理方法。
【請求項１６】
請求項１５に記載の画像処理方法であって、
前記エッジが有ると判定されたときに当該エッジの位置を検出するステップと、
当該エッジの検出位置に応じて前記第１の補間位置及び前記第２の補間位置を個別に制御するステップと
をさらに備えることを特徴とする画像処理方法。
【請求項１７】
請求項１５または１６に記載の画像処理方法であって、
前記エッジの階調変化量を検出するステップと、
前記階調変化量の大きさに応じて前記第１の補間位置及び前記第２の補間位置を個別に制御するステップと
をさらに備えることを特徴とする画像処理方法。
【請求項１８】
主走査方向と該主走査方向とは異なる副走査方向とに延在する被読取媒体に対して、前記副走査方向に所定間隔で配列され且つ互いに異なる複数の色の光をそれぞれ光電変換して複数系列の読取画素信号を並列に出力する複数列のラインセンサを含むイメージセンサと、前記被読取媒体に対して前記イメージセンサを前記副走査方向に相対移動させて前記被読取媒体の表面で反射した光を前記イメージセンサに受光させる走査駆動部と、前記被読取媒体に対して前記イメージセンサが前記副走査方向に相対移動する走査期間内に一定の時間間隔ごとに前記複数列のラインセンサから並列に出力された前記複数系列の読取画素信号に基づいて画像データを生成する画像処理部とを備えた画像読取装置において、前記画像処理部に画像処理を実行させるコンピュータプログラムであって、
該コンピュータプログラムは、前記画像処理部によりコンピュータ読み取り可能な記録媒体から読み出されて実行されるものであり、
前記画像処理は、
前記複数系列の読取画素信号のうちの基準系列の読取画素信号と該基準系列以外の他系列の読取画素信号との間の位相ずれを補正するための画素補間位置を決定する補間位置決定処理と、
前記複数系列の読取画素信号のうち少なくとも１つの系列の読取画素信号に基づいて前記副走査方向に階調変化を有するエッジの有無を判定するエッジ検出処理と、
前記エッジが有ると判定されたとき、前記基準系列の読取画素信号に対して、前記画素補間位置及び該画素補間位置からずれた位置のうちいずれか一方の第１の補間位置を基準として設定された加重係数を用いた補間演算を実行することにより前記画素補間位置における前記基準系列に対応した色の階調値を算出する第１の補間処理と、
前記エッジが有ると判定されたとき、前記他系列の読取画素信号に対して、前記第１の補間位置とは異なる第２の補間位置を基準として設定された加重係数を用いた補間演算を実行することにより前記画素補間位置における前記他系列に対応した色の階調値を算出する第２の補間処理と
を含むことを特徴とするコンピュータプログラム。
【請求項１９】
請求項１８に記載のコンピュータプログラムであって、
前記画像処理は、
前記エッジが有ると判定されたときに当該エッジの位置を検出するエッジ位置検出処理と、
当該エッジの検出位置に応じて前記第１の補間位置及び前記第２の補間位置を個別に制御する第１の補間位置制御処理と
をさらに含むことを特徴とするコンピュータプログラム。
【請求項２０】
請求項１８または１９に記載のコンピュータプログラムであって、
前記画像処理は、
前記エッジの階調変化量を検出する処理と、
前記階調変化量の大きさに応じて前記第１の補間位置及び前記第２の補間位置を個別に制御する第２の補間位置制御処理と
を含むことを特徴とするコンピュータプログラム。
【手続補正２】
【補正対象書類名】明細書
【補正対象項目名】００１３
【補正方法】変更
【補正の内容】
【００１３】
本発明の第２の態様による画像処理装置は、主走査方向と該主走査方向とは異なる副走査方向とに延在する被読取媒体に対して、前記副走査方向に沿って所定間隔で配列され且つ互いに異なる複数の色の光をそれぞれ光電変換して複数系列の読取画素信号を並列に出力する複数列のラインセンサを含むイメージセンサと、前記被読取媒体に対して前記イメージセンサを前記副走査方向に相対移動させて前記被読取媒体の表面で反射した光を前記イメージセンサに受光させる走査駆動部とを備えた画像読取装置に組み込まれる画像処理装置であって、前記被読取媒体に対して前記イメージセンサが前記副走査方向に相対移動する走査期間内に一定の時間間隔ごとに前記複数列のラインセンサから並列に出力された前記複数系列の読取画素信号のうち、基準系列の読取画素信号と該基準系列以外の他系列の読取画素信号との間の位相ずれを補正するための画素補間位置を決定する補間位置決定部と、前記複数系列の読取画素信号に対して系列ごとに補間演算を実行して前記画素補間位置における前記複数の色それぞれの階調値を算出する補間処理部と、前記複数系列の読取画素信号のうち少なくとも１つの系列の読取画素信号に基づいて前記副走査方向に階調変化を有するエッジの有無を判定するエッジ検出部とを備え、前記補間処理部は、前記エッジが有ると判定されたときは、前記基準系列の読取画素信号に対しては、前記画素補間位置及び該画素補間位置からずれた位置のうちいずれか一方の第１の補間位置を基準として設定された加重係数を用いて前記補間演算を実行するとともに、前記他系列の読取画素信号に対しては、前記第１の補間位置とは異なる第２の補間位置を基準として設定された加重係数を用いて前記補間演算を実行することを特徴とする。
【手続補正３】
【補正対象書類名】明細書
【補正対象項目名】００１４
【補正方法】変更
【補正の内容】
【００１４】
本発明の第３の態様による画像処理方法は、主走査方向と該主走査方向とは異なる副走査方向とに延在する被読取媒体に対して、前記副走査方向に所定間隔で配列され且つ互いに異なる複数の色の光をそれぞれ光電変換して複数系列の読取画素信号を並列に出力する複数列のラインセンサを含むイメージセンサと、前記被読取媒体に対して前記イメージセンサを前記副走査方向に相対移動させて前記被読取媒体の表面で反射した光を前記イメージセンサに受光させる走査駆動部とを備える画像読取装置における画像処理方法であって、前記被読取媒体に対して前記イメージセンサが前記副走査方向に相対移動する走査期間内に一定の時間間隔ごとに前記複数列のラインセンサから並列に出力された前記複数系列の読取画素信号のうち、基準系列の読取画素信号と該基準系列以外の他系列の読取画素信号との間の位相ずれを補正するための画素補間位置を決定するステップと、前記複数系列の読取画素信号のうち少なくとも１つの系列の読取画素信号に基づいて前記副走査方向に階調変化を有するエッジの有無を判定するステップと、前記エッジが有ると判定されたとき、前記基準系列の読取画素信号に対して、前記画素補間位置及び該画素補間位置からずれた位置のうちいずれか一方の第１の補間位置を基準として設定された加重係数を用いた補間演算を実行することにより前記画素補間位置における前記基準系列に対応した色の階調値を算出するステップと、前記エッジが有ると判定されたとき、前記他系列の読取画素信号に対して、前記第１の補間位置とは異なる第２の補間位置を基準として設定された加重係数を用いた補間演算を実行することにより前記画素補間位置における前記他系列に対応した色の階調値を算出するステップとを備えることを特徴とする。
【手続補正４】
【補正対象書類名】明細書
【補正対象項目名】００１５
【補正方法】変更
【補正の内容】
【００１５】
本発明の第４の態様によるコンピュータプログラムは、主走査方向と該主走査方向とは異なる副走査方向とに延在する被読取媒体に対して、前記副走査方向に所定間隔で配列され且つ互いに異なる複数の色の光をそれぞれ光電変換して複数系列の読取画素信号を並列に出力する複数列のラインセンサを含むイメージセンサと、前記被読取媒体に対して前記イメージセンサを前記副走査方向に相対移動させて前記被読取媒体の表面で反射した光を前記イメージセンサに受光させる走査駆動部と、前記被読取媒体に対して前記イメージセンサが前記副走査方向に相対移動する走査期間内に一定の時間間隔ごとに前記複数列のラインセンサから並列に出力された前記複数系列の読取画素信号に基づいて画像データを生成する画像処理部とを備えた画像読取装置において、前記画像処理部に画像処理を実行させるコンピュータプログラムであって、該コンピュータプログラムは、前記画像処理部によりコンピュータ読み取り可能な記録媒体から読み出されて実行されるものであり、前記画像処理は、前記複数系列の読取画素信号のうちの基準系列の読取画素信号と該基準系列以外の他系列の読取画素信号との間の位相ずれを補正するための画素補間位置を決定する補間位置決定処理と、前記複数系列の読取画素信号のうち少なくとも１つの系列の読取画素信号に基づいて前記副走査方向に階調変化を有するエッジの有無を判定するエッジ検出処理と、前記エッジが有ると判定されたとき、前記基準系列の読取画素信号に対して、前記画素補間位置及び該画素補間位置からずれた位置のうちいずれか一方の第１の補間位置を基準として設定された加重係数を用いた補間演算を実行することにより前記画素補間位置における前記基準系列に対応した色の階調値を算出する第１の補間処理と、前記エッジが有ると判定されたとき、前記他系列の読取画素信号に対して、前記第１の補間位置とは異なる第２の補間位置を基準として設定された加重係数を用いた補間演算を実行することにより前記画素補間位置における前記他系列に対応した色の階調値を算出する第２の補間処理とを含むことを特徴とする。